(57)【要約】    【課題】      干渉の増大を防止しつつ、基地局装置が受信可能な受信電力を最大限に効率良く移動局装置に割り当ててＱｏＳを保証すること。    【解決手段】  要求レート決定部２１６１は、上限レートを超える要求レートを決定する。予約要求信号生成部２１６２は、予約要求信号を生成する。予約応答信号判定部２１６３は、予約応答信号が予約確保信号であるかまたは予約拒否信号であるかを判定する。要求レート記憶部２１６４は、要求レートを記憶し、この要求レートに対応する予約応答信号がすべて予約確保信号である場合に要求レートを出力する。また、要求レート記憶部２１６４は、１つでも予約拒否信号が受信された場合は、記憶した要求レートを破棄する。予約確認信号生成部２１６５は、１つでも予約拒否信号が受信された場合は、要求レートによる送信を中止することになるため、予約取消信号を生成する。  【選択図】      図４
2006080915.tif 000002
【特許請求の範囲】
【請求項１】
複数の基地局装置と通信を行うソフトハンドオーバ中に、上り回線のデータ送信に用いられる送信レートを所定の上限レート以下に制限するレート制御手段と、
前記上限レートを超える伝送レートでのデータ送信を行う場合に、前記伝送レートによるデータ送信を前記複数の基地局装置に対して予約する予約制御手段と、を有し、
前記レート制御手段は、
前記伝送レートによるデータ送信が前記複数の基地局装置すべてに予約された場合に、上り回線の送信レートを前記伝送レートに変更することを特徴とする移動局装置。
【請求項２】
前記予約制御手段は、
前記上限レートを超える所望の要求レートでのデータ送信を要求する旨の予約要求信号を生成する予約要求信号生成部、を有し、
前記上限レートを超える伝送レートでのデータ送信を行う場合に、前記予約要求信号を前記複数の基地局装置に対して送信することを特徴とする請求項１記載の移動局装置。
【請求項３】
前記レート制御手段は、
前記予約要求信号に対する前記複数の基地局装置の応答として、すべての基地局装置から前記要求レートでのデータ送信を許可する旨の予約確保信号を受信した場合に、上り回線の送信レートを前記要求レートに変更することを特徴とする請求項２記載の移動局装置。
【請求項４】
前記予約制御手段は、
すべての基地局装置から前記予約確保信号を受信した場合に、前記要求レートによるデータ送信を開始する旨の事前通告信号を生成する予約確認信号生成部、をさらに有し、
前記レート制御手段は、
前記事前通告信号が前記複数の基地局装置すべてに送信された後に上り回線の送信レートを前記要求レートに変更することを特徴とする請求項３記載の移動局装置。
【請求項５】
前記レート制御手段は、
前記予約要求信号に対する前記複数の基地局装置の応答として、少なくとも１つの基地局装置から前記要求レートでのデータ送信を拒否する旨の予約拒否信号を受信した場合に、上り回線の送信レートを前記要求レートに変更しないことを特徴とする請求項２記載の移動局装置。
【請求項６】
前記予約制御手段は、
少なくとも１つの基地局装置から前記予約拒否信号を受信した場合に、前記要求レートによるデータ送信を中止する旨の予約取消信号を生成する予約確認信号生成部、をさらに有することを特徴とする請求項５記載の移動局装置。
【請求項７】
前記予約制御手段は、
前記予約拒否信号の受信後ランダムな時間が経過した時に、前記要求レートよりも低い要求レートでのデータ送信を要求する予約要求信号を前記複数の基地局装置に対して再度送信することを特徴とする請求項５記載の移動局装置。
【請求項８】
前記予約制御手段は、
上り回線の送信レートが前記上限レートに設定されている期間に前記複数の基地局装置から返信される受信成功の旨のＡＣＫを計数するＡＣＫ計数部、をさらに有し、
ＡＣＫの数が所定数以上である場合にのみ前記予約要求信号を送信することを特徴とする請求項２記載の移動局装置。
【請求項９】
前記予約制御手段は、
前記複数の基地局装置における負荷を報知するために前記複数の基地局装置から周期的に送信される負荷報知信号に基づいて、前記伝送レートによる即時のデータ送信が可能であるか否かを判断することを特徴とする請求項１記載の移動局装置。
【請求項１０】
前記予約制御手段は、
前記複数の基地局装置における負荷を報知するために前記複数の基地局装置から周期的に送信される負荷報知信号に基づいて、すべての基地局装置における負荷が所定の第１の閾値以下である場合に前記予約要求信号を送信せず、
前記レート制御手段は、
すべての基地局装置における負荷が所定の第１の閾値以下である場合に、前記負荷報知信号の受信直後から上り回線の送信レートを前記要求レートに変更することを特徴とする請求項２記載の移動局装置。
【請求項１１】
前記予約制御手段は、
前記負荷報知信号に基づいて、１つの基地局装置における負荷が前記第１の閾値より大きい所定の第２の閾値以上である場合に前記予約要求信号を送信しないことを特徴とする請求項１０記載の移動局装置。
【請求項１２】
前記予約要求信号生成部は、
前記要求レート、前記要求レートでのデータ送信時間、前記要求レートに対応する送信電力、または前記要求レートで達成されるＱｏＳのいずれか１つに関する情報を含む予約要求信号を生成することを特徴とする請求項２記載の移動局装置。
【請求項１３】
送信前の送信データを一時的に記憶するバッファ手段、をさらに有し、
前記予約制御手段は、
前記バッファ手段に記憶された送信データが所定レベルより多くなった場合に、予約を行うことを特徴とする請求項１記載の移動局装置。
【請求項１４】
送信電力を制御する送信電力制御手段、をさらに有し、
前記予約制御手段は、
前記送信電力制御手段によって制御される送信電力が過小である場合に、予約を行うことを特徴とする請求項１記載の移動局装置。
【請求項１５】
所定の上限レートを超える要求レートでのデータ送信を要求する旨の予約要求信号を移動局装置から受信する受信手段と、
前記移動局装置を含む複数の移動局装置に対する無線リソースの割り当て状況から、前記要求レートでの送信を許可するか否かを決定するスケジューリング手段と、
前記要求レートでの送信許可を示す予約確保信号または前記要求レートでの送信拒否を示す予約拒否信号を送信する送信手段と、
を有することを特徴とする基地局装置。
【請求項１６】
前記スケジューリング手段は、
前記要求レートによるデータ送信を開始する旨の事前通告信号を前記移動局装置から受信した場合は、前記移動局装置が前記要求レートでのデータ送信を行うことを前提として前記複数の移動局装置に無線リソースを割り当てることを特徴とする請求項１５記載の基地局装置。
【請求項１７】
前記スケジューリング手段は、
前記要求レートによるデータ送信を中止する旨の予約取消信号を前記移動局装置から受信した場合は、前記移動局装置が前記上限レート以下の伝送レートでのデータ送信を行うことを前提として前記複数の移動局装置に無線リソースを割り当てることを特徴とする請求項１５記載の基地局装置。
【請求項１８】
前記スケジューリング手段は、
前記複数の移動局装置に対する無線リソースの割り当て状況から、自装置における受信の負荷を示す負荷報知信号を生成する負荷報知信号生成部、を有し、
前記送信手段は、
前記負荷報知信号を周期的に送信することを特徴とする請求項１５記載の基地局装置。
【請求項１９】
複数の基地局装置と通信を行うソフトハンドオーバ中の移動局装置において用いられる上り回線伝送レート制御方法であって、
上り回線のデータ送信に用いられる送信レートを所定の上限レート以下に制限するステップと、
前記上限レートを超える伝送レートでのデータ送信を行う場合に、前記伝送レートによるデータ送信を前記複数の基地局装置に対して予約するステップと、
前記伝送レートによるデータ送信が前記複数の基地局装置すべてに予約された場合に、上り回線の送信レートを前記伝送レートに変更するステップと、
を有することを特徴とする上り回線伝送レート制御方法。
【発明の詳細な説明】
【技術分野】
【０００１】
本発明は、移動局装置、基地局装置、および上り回線伝送レート制御方法に関し、特に、移動局装置の伝送レートが基地局装置によってスケジューリングされる移動体通信システムで用いられる移動局装置、基地局装置、および上り回線伝送レート制御方法に関する。
【背景技術】
【０００２】
近年、Ｗ−ＣＤＭＡ（Wideband-Code Division Multiple Access）における上り回線のパケット通信を高速化する伝送規格として、ＨＳＵＰＡ（High Speed Uplink Packet Access）が３ＧＰＰにおいて検討されている。ＨＳＵＰＡにおいては、上り回線パケットを伝送する専用のチャネルとしてＥ−ＤＣＨ（Enhanced-Dedicated CHannel）が設けられる。
【０００３】
このＥ−ＤＣＨの電力は、基地局装置の受信電力のうち、熱雑音電力、他セル干渉電力、および音声などの通信に用いられる個別チャネルの電力以外の部分を占めている。換言すれば、基地局装置が受信可能な最大の受信電力から熱雑音電力、他セル干渉電力、および個別チャネル電力の３種類の電力を除外した電力に、Ｅ−ＤＣＨを割り当てることが可能である。
【０００４】
具体的には、例えば図１５に示すように、基地局装置における受信可能な最大の受信電力は、ＲｏＴ閾値（RoT(Rise Over Thermal) threshold）として基地局装置ごとに定められており、基地局装置における受信電力には、ＲｏＴ閾値を超えない範囲で熱雑音電力、他セル干渉電力、および自セル内に属するｎ個の移動局装置からの個別チャネル電力が含まれている。そして、これらの電力をＲｏＴ閾値から除いた残りの受信電力がＥ−ＤＣＨに割り当て可能なＥ−ＤＣＨ電力となっている。
【０００５】
ここで、基地局装置がカバーするセルには、複数の移動局装置が属しているため、これらの移動局装置に効率良くＥ−ＤＣＨ電力を割り当てて上り回線のパケット通信を行う必要がある。すなわち、図１５においては、自セル内にｎ個の移動局装置が属しているため、Ｅ−ＤＣＨ電力をｎ個の移動局装置に分配する必要がある。そこで、基地局装置によって、このＥ−ＤＣＨ電力を各移動局装置に効率良く分配するスケジューリングが行われることがある。スケジューリングにおいては、基地局装置は、自セル内の各移動局装置に許容される送信電力（あるいは、送信電力に対応する伝送レート）を適切に決定する。そして、このスケジューリングの結果が自セル内の各移動局装置へ通知される。
【０００６】
ところで、移動局装置は、基地局装置がカバーするセル間を移動する際に、ソフトハンドオーバを行って複数の基地局装置と通信を行うことがある。すなわち、例えば図１６に示すように、移動局装置が基地局装置＃１〜＃３のセルの境界付近に位置する際、移動局装置は、これらすべての基地局装置＃１〜＃３と通信可能である。このとき、上述したスケジューリングにおける、移動局装置に許容される伝送レートの決定と移動局装置への通知とは、いずれか１つの基地局装置のみで行われる場合と、すべての基地局装置＃１〜＃３によって行われる場合とが考えられる。前者の場合、スケジューリングを行わない基地局装置における受信電力の状況は考慮されないため、これらのスケジューリングを行わない基地局装置における受信電力がＲｏＴ閾値を超過してしまい、干渉が増大する虞がある。また、後者の場合、それぞれのセルにおける伝搬環境の差によっては、移動局装置に許容される伝送レートがまったく異なるものに決定されることがある。そして、移動局装置がいずれか１つの基地局装置によって決定された伝送レートを達成すると、他の基地局装置における受信電力がＲｏＴ閾値を超過してしまい、干渉が増大する虞がある。
【０００７】
この問題に対しては、例えば複数の基地局装置によって決定される伝送レートのうち、最小の伝送レートを移動局装置が選択するようにしたり、あらかじめ移動局装置における伝送レートの上限を低速のものに定めておき、この上限レートを超えないようにしたりすることが考えられている（例えば特許文献１の［００３７］段落参照）。
【特許文献１】特開２００３−４６４８２号公報
【発明の開示】
【発明が解決しようとする課題】
【０００８】
しかしながら、上述の方法によって干渉の増大を防止する場合、現実の状況に即していないスケジューリングが行われるという問題がある。
【０００９】
具体的には、最小の伝送レートを移動局装置が選択する方式においては、最終的に送信に用いられる送信レートを選択するのは移動局装置であるため、実際の送信レートが各基地局装置へフィードバックされなければ、すべての基地局装置においてＥ−ＤＣＨに割り当て可能な受信電力を最大限に使用することが困難である。すなわち、送信レートがフィードバックされなければ、最小の伝送レートを割り当てなかった基地局装置においては、送信レートよりも高速な伝送レートでデータ送信が行われるものとしてスケジューリングが行われ、いずれの移動局装置にも割り当てられない受信電力が生じてしまう。さらに、スケジューリングの結果を通知するための信号が常にすべての基地局装置から送信されるため、基地局装置は、このスケジューリング制御信号送信のために多くの電力を必要とする。
【００１０】
一方、低速の伝送レートを上限とする方式においては、基地局装置における受信電力に余裕がある場合でも、移動局装置の送信レートが制限されてしまうことがあり、伝送効率が低下してしまう。
【００１１】
このように、いずれの方式においても、移動局装置からの送信レートを必要以上に制限してしまうことがあり、基地局装置でＥ−ＤＣＨに割り当て可能な受信電力を効率良く使用することができない。結果として、移動局装置の送信データに許容される遅延などのＱｏＳ（Quality of Service：サービス品質）を保証することができないことがある。
【００１２】
本発明はかかる点に鑑みてなされたものであり、干渉の増大を防止しつつ、基地局装置が受信可能な受信電力を最大限に効率良く移動局装置に割り当ててＱｏＳを保証することができる移動局装置、基地局装置、および上り回線伝送レート制御方法を提供することを目的とする。
【課題を解決するための手段】
【００１３】
本発明に係る移動局装置は、複数の基地局装置と通信を行うソフトハンドオーバ中に、上り回線のデータ送信に用いられる送信レートを所定の上限レート以下に制限するレート制御手段と、前記上限レートを超える伝送レートでのデータ送信を行う場合に、前記伝送レートによるデータ送信を前記複数の基地局装置に対して予約する予約制御手段と、を有し、前記レート制御手段は、前記伝送レートによるデータ送信が前記複数の基地局装置すべてに予約された場合に、上り回線の送信レートを前記伝送レートに変更する構成を採る。
【００１４】
この構成によれば、ソフトハンドオーバ中、移動局装置が上限レートを超える伝送レートでのデータ送信を予約し、通信相手であるすべての基地局装置に予約された場合に、上限レートを超えた伝送レートでデータ送信するため、上限レートを超えた伝送レートでの送信時には、基地局装置において必要な無線リソースが確保されており、受信電力がＲｏＴ閾値を超過することを防止することができる。また、移動局装置は、通常は上限レート以下の伝送レートでデータ送信を行い、必要に応じて上限レートを超えた伝送レートでのデータ送信を予約するため、基地局装置が受信可能な受信電力を最大限に効率良く移動局装置に割り当ててＱｏＳを保証することができる。
【００１５】
本発明に係る基地局装置は、所定の上限レートを超える要求レートでのデータ送信を要求する旨の予約要求信号を移動局装置から受信する受信手段と、前記移動局装置を含む複数の移動局装置に対する無線リソースの割り当て状況から、前記要求レートでの送信を許可するか否かを決定するスケジューリング手段と、前記要求レートでの送信許可を示す予約確保信号または前記要求レートでの送信拒否を示す予約拒否信号を送信する送信手段と、を有する構成を採る。
【００１６】
この構成によれば、無線リソースの割り当て状況から、上限レートを超える要求レートでのデータ送信を許可するか否かを決定するため、基地局装置における受信電力がＲｏＴ閾値を超えてしまうか否かを正確に判断することができる。また、送信許可または送信拒否を移動局装置へ通知するため、移動局装置は、許可される場合にのみ上限レートを超える要求レートでのデータ送信を行うことができる。
【００１７】
本発明に係る上り回線伝送レート制御方法は、複数の基地局装置と通信を行うソフトハンドオーバ中の移動局装置において用いられる上り回線伝送レート制御方法であって、上り回線のデータ送信に用いられる送信レートを所定の上限レート以下に制限するステップと、前記上限レートを超える伝送レートでのデータ送信を行う場合に、前記伝送レートによるデータ送信を前記複数の基地局装置に対して予約するステップと、前記伝送レートによるデータ送信が前記複数の基地局装置すべてに予約された場合に、上り回線の送信レートを前記伝送レートに変更するステップと、を有するようにした。
【００１８】
この方法によれば、ソフトハンドオーバ中、移動局装置が上限レートを超える伝送レートでのデータ送信を予約し、通信相手であるすべての基地局装置に予約された場合に、上限レートを超えた伝送レートでデータ送信するため、上限レートを超えた伝送レートでの送信時には、基地局装置において必要な無線リソースが確保されており、受信電力がＲｏＴ閾値を超過することを防止することができる。また、移動局装置は、通常は上限レート以下の伝送レートでデータ送信を行い、必要に応じて上限レートを超えた伝送レートでのデータ送信を予約するため、基地局装置が受信可能な受信電力を最大限に効率良く移動局装置に割り当ててＱｏＳを保証することができる。
【発明の効果】
【００１９】
本発明によれば、受信電力がＲｏＴ閾値を超過することを防止しつつ、基地局装置が受信可能な受信電力を最大限に効率良く移動局装置に割り当ててＱｏＳを保証することができる。
【発明を実施するための最良の形態】
【００２０】
本発明の骨子は、移動局装置の伝送レートに上限を設けるとともに、移動局装置が上限を超えた伝送レートによる送信を希望する時は、より高速な伝送レートの使用を基地局装置に対して予約することである。
【００２１】
以下、本発明の実施の形態について、図面を参照して詳細に説明する。
【００２２】
（実施の形態１）
図１は、本発明の実施の形態１に係る基地局装置の要部構成を示すブロック図である。図１に示すように、本実施の形態に係る基地局装置は、ＲＦ（Radio Frequency：無線周波数）受信部１０２、逆拡散部１０４、復調部１０６、誤り訂正復号部１０８、ＳＩＲ（Signal to Interference Ratio：信号対干渉比）測定部１１０、ＵＬ（UpLink：上り回線）−ＴＰＣ（Transmission Power Control：送信電力制御）生成部１１２、スケジューリング部１１４、誤り訂正符号化部１１６、変調部１１８、拡散部１２０、送信電力制御部１２２、およびＲＦ送信部１２４を有している。なお、受信側の、逆拡散部１０４、復調部１０６、誤り訂正復号部１０８、ＳＩＲ測定部１１０、およびＵＬ−ＴＰＣ生成部１１２、ならびに、送信側の、誤り訂正符号化部１１６、変調部１１８、拡散部１２０、および送信電力制御部１２２は、それぞれ移動局装置ごとに設けられている。
【００２３】
また、本実施の形態においては、移動局装置がソフトハンドオーバ中であり、複数の基地局装置と通信中であるものとして説明するが、移動局装置と通信を行うすべての基地局装置は、図１に示す基地局装置と同様の構成を有している。
【００２４】
ＲＦ受信部１０２は、アンテナを介して信号を受信し、受信信号に対して所定の無線受信処理（ダウンコンバート、Ａ／Ｄ変換など）を施す。
【００２５】
逆拡散部１０４は、移動局装置ごとの拡散符号を用いて受信信号を逆拡散し、移動局装置ごとの信号を取得する。
【００２６】
復調部１０６は、移動局装置ごとの信号を復調し、誤り訂正復号部１０８へ出力する。
【００２７】
誤り訂正復号部１０８は、移動局装置ごとの信号を誤り訂正復号して、信号に含まれる受信データを出力するとともに、予約制御信号をスケジューリング部１１４へ出力し、下り回線の送信電力制御コマンド（以下、「ＤＬ（DownLink：下り回線）−ＴＰＣ」という）を送信電力制御部１２２へ出力する。予約制御信号については、後に詳述する。
【００２８】
ＳＩＲ測定部１１０は、移動局装置ごとの信号のＳＩＲを測定し、ＵＬ−ＴＰＣ生成部１１２およびスケジューリング部１１４へ出力する。
【００２９】
ＵＬ−ＴＰＣ生成部１１２は、移動局装置ごとのＳＩＲから、各移動局装置の送信電力の増減を決定し、上り回線の送信電力制御コマンド（以下、「ＵＬ−ＴＰＣ」という）を生成する。
【００３０】
スケジューリング部１１４は、ＲＦ受信部１０２における全受信電力の内訳を示すＲｏＴ情報と、ＳＩＲ測定部１１０によって測定された移動局装置ごとのＳＩＲ情報とから、各移動局装置に対して割り当てる無線リソースを決定し、この結果に基づいてスケジューリング制御信号を生成する。また、スケジューリング部１１４は、誤り訂正復号部１０８から出力される予約制御信号に応じて無線リソースの割り当ての可不可を判断し、この結果に基づいて予約応答信号を生成する。スケジューリング部１１４については、後に詳述する。
【００３１】
誤り訂正符号化部１１６は、送信データ、ＵＬ−ＴＰＣ生成部１１２によって生成されたＵＬ−ＴＰＣ、およびスケジューリング部１１４によるスケジューリング制御信号と予約応答信号とを誤り訂正符号化し、変調部１１８へ出力する。
【００３２】
変調部１１８は、誤り訂正符号化部１１６の出力を変調し、拡散部１２０へ出力する。
【００３３】
拡散部１２０は、変調部１１８の出力を移動局装置ごとの拡散符号によって拡散し、移動局装置ごとの送信信号とする。
【００３４】
送信電力制御部１２２は、誤り訂正復号部１０８から出力されるＤＬ−ＴＰＣに従って送信電力を決定し、拡散部１２０から出力される送信信号の送信電力を制御する。
【００３５】
ＲＦ送信部１２４は、送信信号に対して所定の無線送信処理（Ｄ／Ａ変換、アップコンバートなど）を施し、アンテナを介して送信する。
【００３６】
図２は、本実施の形態に係るスケジューリング部１１４の内部構成を示すブロック図である。図２に示すように、本実施の形態に係るスケジューリング部１１４は、予約制御信号選別部１１４１、予約リソース設定部１１４２、無線リソース割当部１１４３、予約応答信号生成部１１４４、および多重部１１４５を有している。
【００３７】
予約制御信号選別部１１４１は、誤り訂正復号部１０８から出力される予約制御信号が予約要求信号「Ｒｅｑｕｅｓｔ」であるかまたは予約確認信号であるかを選別する。さらに、予約制御信号選別部１１４１は、予約制御信号が予約確認信号である場合は、事前通告信号「Ｎｏｔｉｃｅ」であるかまたは予約取消信号「Ｃａｎｃｅｌ」であるかを選別する。
【００３８】
ここで、予約要求信号「Ｒｅｑｕｅｓｔ」は、移動局装置があらかじめ定められた上限の伝送レート（以下、「上限レート」という）を超えた伝送レート（以下、「要求レート」という）での送信を希望する場合に、移動局装置から送信される予約制御信号である。
【００３９】
また、事前通告信号「Ｎｏｔｉｃｅ」は、移動局装置が要求レートでの送信を開始する場合に、その旨を各基地局装置へ通知する予約制御信号である。一方、予約取消信号「Ｃａｎｃｅｌ」は、移動局装置が要求レートでの送信を中止する場合に、その旨を各基地局装置へ通知する予約制御信号である。
【００４０】
予約リソース設定部１１４２は、予約要求信号「Ｒｅｑｕｅｓｔ」が受信された場合に、移動局装置において決定された要求レートに応じた無線リソース（以下、「予約リソース」という）を算出して無線リソース割当部１１４３へ出力するとともに記憶する。また、予約リソース設定部１１４２は、事前通告信号「Ｎｏｔｉｃｅ」が受信された場合に、記憶している予約リソースを無線リソース割当部１１４３に設定する。一方、予約リソース設定部１１４２は、予約取消信号「Ｃａｎｃｅｌ」が受信された場合に、記憶している予約リソースを破棄する。
【００４１】
無線リソース割当部１１４３は、ＳＩＲ情報およびＲｏＴ情報から各移動局装置に受信電力などの無線リソースを割り当ててスケジューリングを行う。具体的には、無線リソース割当部１１４３は、ＳＩＲが良好な移動局装置には多くの受信電力を割り当てて伝送レートを増加させるとともに、ＳＩＲが劣悪な移動局装置には受信電力をあまり割り当てず伝送レートを減少させる。このとき、無線リソース割当部１１４３は、上限レートを超える伝送レートにならないように無線リソースを各移動局装置に割り当てる。このスケジューリングの結果は、スケジューリング制御信号として多重部１１４５へ出力される。なお、無線リソース割当部１１４３は、ＳＩＲ情報以外にも、移動局装置におけるバッファ情報や送信電力に関する情報などを補助的に用いてスケジューリングを行っても良い。
【００４２】
また、無線リソース割当部１１４３は、予約要求信号「Ｒｅｑｕｅｓｔ」を送信した移動局装置に予約リソースを割り当てることが可能か否かを判断する。すなわち、無線リソース割当部１１４３は、スケジューリングの結果を参照して、将来の受信電力にまだ余裕があると予測される場合は、上限レートを超えた要求レートに対応する予約リソースの割り当てが可能と判断する。一方、受信電力に余裕がないと予測される場合は、要求レートに対応する予約リソースの割り当てが不可能と判断する。この判断結果は、予約応答信号生成部１１４４へ出力される。
【００４３】
予約応答信号生成部１１４４は、無線リソース割当部１１４３の判断に従って、予約要求信号「Ｒｅｑｕｅｓｔ」に対する予約応答信号を生成する。すなわち、予約応答信号生成部１１４４は、予約リソースの割り当てが可能である場合は予約確保信号「Ｒｅｓｅｒｖｅ」を生成し、予約リソースの割り当てが不可能である場合は予約拒否信号「Ｒｅｊｅｃｔ」を生成する。
【００４４】
多重部１１４５は、スケジューリング制御信号と予約応答信号とを多重して、誤り訂正符号化部１１６へ出力する。
【００４５】
図３は、本実施の形態に係る移動局装置の要部構成を示すブロック図である。図３に示すように、本実施の形態に係る移動局装置は、ＲＦ受信部２０２、逆拡散部２０４、復調部２０６、誤り訂正復号部２０８、ＳＩＲ測定部２１０、ＤＬ−ＴＰＣ生成部２１２、レート制御部２１４、予約制御部２１６、送信バッファ部２１８、誤り訂正符号化部２２０、変調部２２２、拡散部２２４、送信電力制御部２２６、およびＲＦ送信部２２８を有している。なお、上述したように、図３に示す移動局装置は、ソフトハンドオーバ中であり、複数の基地局装置と通信中であるものとする。
【００４６】
ＲＦ受信部２０２は、アンテナを介して信号を受信し、受信信号に対して所定の無線受信処理（ダウンコンバート、Ａ／Ｄ変換など）を施す。
【００４７】
逆拡散部２０４は、自装置固有の拡散符号を用いて受信信号を逆拡散し、自装置宛ての信号を取得する。
【００４８】
復調部２０６は、自装置宛ての信号を復調し、誤り訂正復号部２０８へ出力する。
【００４９】
誤り訂正復号部２０８は、自装置宛ての信号を誤り訂正復号して、信号に含まれる受信データを出力するとともに、スケジューリング制御信号をレート制御部２１４へ出力し、予約応答信号を予約制御部２１６へ出力し、ＵＬ−ＴＰＣを送信電力制御部２２６へ出力する。
【００５０】
ＳＩＲ測定部２１０は、自装置宛ての信号のＳＩＲを測定し、ＤＬ−ＴＰＣ生成部２１２へ出力する。
【００５１】
ＤＬ−ＴＰＣ生成部２１２は、自装置宛ての信号のＳＩＲから、自装置に対する基地局装置の送信電力の増減を決定し、ＤＬ−ＴＰＣを生成する。
【００５２】
レート制御部２１４は、スケジューリング制御信号に従って実際の送信に採用する伝送レート（以下、「送信レート」という）を決定し、送信レートに対応する符号化率および変調方式を誤り訂正符号化部２２０および変調部２２２に設定する。また、レート制御部２１４は、予約応答信号としてすべての基地局装置から予約確保信号「Ｒｅｓｅｒｖｅ」が受信された場合は、予約制御部２１６から出力される要求レートを送信レートとして符号化率および変調方式を設定する。
【００５３】
予約制御部２１６は、送信バッファ部２１８における空き容量を示すバッファ情報などに基づいて上限レートを超える伝送レートでの送信を希望する場合は、要求レートを決定し、予約要求信号「Ｒｅｑｕｅｓｔ」を生成する。また、予約制御部２１６は、予約要求信号「Ｒｅｑｕｅｓｔ」に対する予約応答信号が予約確保信号「Ｒｅｓｅｒｖｅ」であるかまたは予約拒否信号「Ｒｅｊｅｃｔ」であるかを判定し、要求レートを実際の送信レートとするか否かを判断する。予約制御部２１６については、後に詳述する。
【００５４】
送信バッファ部２１８は、送信データを一時的に記憶し、データの再送に備える。また、送信バッファ部２１８は、空き容量を示すバッファ情報を予約制御部２１６へ出力する。
【００５５】
誤り訂正符号化部２２０は、送信データ、ＤＬ−ＴＰＣ生成部２１２によって生成されたＤＬ−ＴＰＣ、および予約制御部２１６によって生成された予約要求信号「Ｒｅｑｕｅｓｔ」を誤り訂正符号化し、変調部２２２へ出力する。
【００５６】
変調部２２２は、誤り訂正符号化部２２０の出力を変調し、拡散部２２４へ出力する。
【００５７】
拡散部２２４は、変調部２２２の出力を自装置に固有の拡散符号によって拡散し、自装置に固有の送信信号とする。
【００５８】
送信電力制御部２２６は、誤り訂正復号部２０８から出力されるＵＬ−ＴＰＣに従って送信電力を決定し、拡散部２２４から出力される送信信号の送信電力を制御する。
【００５９】
ＲＦ送信部２２８は、送信信号に対して所定の無線送信処理（Ｄ／Ａ変換、アップコンバートなど）を施し、アンテナを介して送信する。
【００６０】
図４は、本実施の形態に係る予約制御部２１６の内部構成を示すブロック図である。図４に示すように、本実施の形態に係る予約制御部２１６は、要求レート決定部２１６１、予約要求信号生成部２１６２、予約応答信号判定部２１６３、要求レート記憶部２１６４、予約確認信号生成部２１６５、および多重部２１６６を有している。
【００６１】
要求レート決定部２１６１は、バッファ情報に応じて上限レートを超える要求レートを決定し、予約要求信号生成部２１６２および要求レート記憶部２１６４へ出力する。すなわち、要求レート決定部２１６１は、送信バッファ部２１８の空き容量が小さく送信すべきデータが多い場合は、上限レートを超える伝送レートで送信を行う必要があると判断して、より高速な伝送レートを要求レートに決定する。また、要求レート決定部２１６１は、送信バッファ部２１８の空き容量が大きく送信すべきデータが少ない場合は、上限レート以下の伝送レートでも十分にデータの送信が可能であると判断して動作しない。
【００６２】
なお、ここでは、要求レート決定部２１６１は、バッファ情報に基づいて要求レートを決定するものとしたが、例えば、送信電力制御部２２６における送信電力が過小であり、より大きな送信電力による送信が可能である場合に、送信電力の余裕を考慮して上限レートを超える要求レートを決定しても良い。要求レートがすべての基地局装置によって許容され、移動局装置の送信レートが大きくなれば、対応して大きい送信電力が必要となり、過小な送信電力による送信は解消する。他にも、例えば、送信バッファ部２１８に記憶されているデータに許容される遅延などのＱｏＳをバッファ情報に含めることにより、大きな遅延が許容されないデータがバッファ内で送信待ちをしている場合にも、上限レートを超える要求レートを決定しても良い。
【００６３】
予約要求信号生成部２１６２は、要求レート決定部２１６１によって上限レートを超える要求レートが決定された場合、要求レートによる送信の予約を要求する旨の予約要求信号「Ｒｅｑｕｅｓｔ」を生成する。予約要求信号「Ｒｅｑｕｅｓｔ」には、要求レート、要求レートでの送信を行う時間、要求レートに対応する送信電力、送信データが達成すべきＱｏＳなどの情報が含まれていても良い。
【００６４】
予約応答信号判定部２１６３は、誤り訂正復号部２０８から出力される予約応答信号が要求レートによる送信が可能である旨の予約確保信号「Ｒｅｓｅｒｖｅ」であるか、または要求レートによる送信が不可能である旨の予約拒否信号「Ｒｅｊｅｃｔ」であるかを判定する。なお、移動局装置は複数の基地局装置と通信中であるため、それぞれの基地局装置から予約応答信号として予約確保信号「Ｒｅｓｅｒｖｅ」または予約拒否信号「Ｒｅｊｅｃｔ」が送信されている。したがって、予約応答信号判定部２１６３は、それぞれの基地局装置から送信された予約応答信号の種別を判定する。
【００６５】
要求レート記憶部２１６４は、要求レート決定部２１６１によって決定された要求レートを記憶し、この要求レートに対応する予約応答信号がすべて予約確保信号「Ｒｅｓｅｒｖｅ」である場合に、要求レートをレート制御部２１４へ出力する。すなわち、要求レート記憶部２１６４は、予約応答信号判定部２１６３によってすべての基地局装置から送信された予約応答信号が予約確保信号「Ｒｅｓｅｒｖｅ」であると判定された場合に、要求レートを実際の送信レートとするべくレート制御部２１４へ出力する。また、要求レート記憶部２１６４は、１つでも予約応答信号として予約拒否信号「Ｒｅｊｅｃｔ」が受信された場合は、記憶した要求レートを破棄する。
【００６６】
予約確認信号生成部２１６５は、すべての基地局装置から予約確保信号「Ｒｅｓｅｒｖｅ」が受信された場合は、要求レートによる送信を開始することになるため、事前通告信号「Ｎｏｔｉｃｅ」を生成し、１つでも予約拒否信号「Ｒｅｊｅｃｔ」が受信された場合は、要求レートによる送信を中止することになるため、予約取消信号「Ｃａｎｃｅｌ」を生成する。
【００６７】
多重部２１６６は、予約要求信号「Ｒｅｑｕｅｓｔ」および予約確認信号を多重して、得られた予約制御信号を誤り訂正符号化部２２０へ出力する。
【００６８】
次いで、上記のように構成された基地局装置および移動局装置における上り回線の伝送レート制御時の動作について、図５を参照して具体的に説明する。なお、以下の説明では、移動局装置はソフトハンドオーバ中であり、基地局装置＃１〜＃３の３つの基地局装置と通信を行っているものとする。
【００６９】
まず、移動局装置から基地局装置＃１〜＃３へ、上限レートを超えた伝送レートでの送信を要求する予約要求信号「Ｒｅｑｕｅｓｔ」が送信されるまでの動作を説明する。
【００７０】
移動局装置は、通常時、基地局装置＃１〜＃３のいずれかのスケジューリング制御信号に従った伝送レートでデータを送信している。移動局装置が従うスケジューリング制御信号は、基地局装置＃１〜＃３のうち、例えばＳＩＲ測定部２１０によって測定されたＳＩＲが最も高い基地局装置から送信されたものなどで良い。ただし、このスケジューリング制御信号に従った伝送レートが上限レートを超えているような場合は、移動局装置は、上限レートを実際の送信レートとして送信を行う。
【００７１】
このような状況下で、例えば、送信バッファ部２１８に記憶されている送信データ量が多くなり、空き容量が小さくなると、その旨のバッファ情報が要求レート決定部２１６１へ出力される。そして、要求レート決定部２１６１によって、上限レートを超える伝送レートでの送信を基地局装置に対して要求することが決定されるとともに要求レートが決定される。決定された要求レートは、要求レート記憶部２１６４によって記憶され、同時に、予約要求信号生成部２１６２によって、予約要求信号「Ｒｅｑｕｅｓｔ」が生成される。生成された予約要求信号「Ｒｅｑｕｅｓｔ」は、多重部２１６６へ出力されるが、ここでは、予約確認信号が生成されていないため、予約要求信号「Ｒｅｑｕｅｓｔ」は、そのまま誤り訂正符号化部２２０へ出力される。
【００７２】
そして、予約要求信号「Ｒｅｑｕｅｓｔ」は、レート制御部２１４によって決定された送信レートに対応する符号化率で誤り訂正符号化部２２０によって誤り訂正符号化され、送信レートに対応する変調方式で変調部２２２によって変調される。これらの誤り訂正符号化および変調の処理は、送信データおよびＤＬ−ＴＰＣ生成部２１２によって生成されたＤＬ−ＴＰＣとともに行っても良い。そして、変調部２２２の出力は、拡散部２２４によって、移動局装置に固有の拡散符号で拡散され、得られた送信信号の送信電力が、送信電力制御部２２６によってＵＬ−ＴＰＣから決定された送信電力となるように制御される。この予約要求信号「Ｒｅｑｕｅｓｔ」を含んだ送信信号は、ＲＦ送信部２２８によって所定の無線送信処理が施された上で、図５（ａ）および図５（ｂ）の双方に示すように、基地局装置＃１〜＃３へ送信される。
【００７３】
次に、基地局装置＃１〜＃３から移動局装置へ、予約要求信号「Ｒｅｑｕｅｓｔ」に対する予約応答信号が送信されるまでの動作を説明する。
【００７４】
移動局装置から送信された予約要求信号「Ｒｅｑｕｅｓｔ」を含む信号は、基地局装置＃１〜＃３のＲＦ受信部１０２によって受信され、所定の無線受信処理が施される。受信信号は、逆拡散部１０４へ出力されるとともに、ＲＦ受信部１０２における受信電力の内訳を示すＲｏＴ情報がスケジューリング部１１４へ出力される。ＲＦ受信部１０２は、すべての移動局装置からの信号を受信するため、ＲｏＴ情報には、自セル内の各移動局装置からの信号による受信電力の内訳が含まれている。
【００７５】
そして、受信信号は、逆拡散部１０４によって、移動局装置ごとに固有の拡散符号によって逆拡散され、上述の予約要求信号「Ｒｅｑｕｅｓｔ」を送信した移動局装置の信号が取得される。この信号は、復調部１０６によって復調され、誤り訂正復号部１０８によって誤り訂正復号される。誤り訂正復号部１０８による誤り訂正復号の結果、受信データが出力されるとともに、予約要求信号「Ｒｅｑｕｅｓｔ」がスケジューリング部１１４へ出力され、ＤＬ−ＴＰＣが送信電力制御部１２２へ出力される。
【００７６】
また、逆拡散部１０４によって取得された信号からＳＩＲ測定部１１０によってＳＩＲが測定され、測定されたＳＩＲ情報に基づいてＵＬ−ＴＰＣ生成部１１２によってＵＬ−ＴＰＣが生成される。このとき、ＳＩＲ測定部１１０によって測定されたＳＩＲ情報はスケジューリング部１１４へも出力される。ＳＩＲ測定部１１０は移動局装置ごとに設けられているため、スケジューリング部１１４へは、移動局装置ごとのＳＩＲ情報が出力される。これにより、ＲｏＴ情報、ＳＩＲ情報、および予約要求信号「Ｒｅｑｕｅｓｔ」がスケジューリング部１１４へ出力されることになる。
【００７７】
そして、スケジューリング部１１４では、予約要求信号「Ｒｅｑｕｅｓｔ」が予約制御信号選別部１１４１に入力され、入力された信号が予約要求信号「Ｒｅｑｕｅｓｔ」であると選別される。これに応じて、予約リソース設定部１１４２によって、要求レートに対応する予約リソースが算出されて記憶される。また、予約リソースは、無線リソース割当部１１４３へ出力される。
【００７８】
一方、無線リソース割当部１１４３には、自セル内の移動局装置ごとのＳＩＲ情報およびＲｏＴ情報が入力されており、移動局装置ごとのＳＩＲ情報に応じて受信電力などの無線リソースを割り当てるスケジューリングが行われる。スケジューリングの結果は、スケジューリング制御信号として多重部１１４５へ出力される。さらに、無線リソース割当部１１４３には、予約リソースが入力されるため、スケジューリング結果が参照されて、予約リソースを確保することが可能か否かが判断される。この判断結果は、予約応答信号生成部１１４４へ通知される。
【００７９】
予約リソースの確保が可能であるか否かの判断結果が予約応答信号生成部１１４４へ出力されると、予約応答信号生成部１１４４によって、予約応答信号が生成される。具体的には、予約リソースの確保が可能である場合は、予約確保信号「Ｒｅｓｅｒｖｅ」が生成され、予約リソースの確保が不可能である場合は、予約拒否信号「Ｒｅｊｅｃｔ」が生成される。生成された予約応答信号は、多重部１１４５へ出力され、スケジューリング制御信号と多重され、誤り訂正符号化部１１６へ出力される。
【００８０】
そして、スケジューリング制御信号および予約応答信号は、誤り訂正符号化部１１６によって誤り訂正符号化され、変調部１１８によって変調される。そして、変調部１１８の出力は、拡散部１２０によって、移動局装置ごとの拡散符号で拡散され、得られた送信信号の送信電力が、送信電力制御部１２２によってＤＬ−ＴＰＣから決定された送信電力となるように制御される。この予約応答信号を含んだ送信信号は、ＲＦ送信部１２４によって所定の無線送信処理が施された上で、移動局装置へ送信される。なお、予約応答信号はＲＦ送信部１２４から共通制御チャネルを用いて送信されるのが好ましい。また、予約確保信号「Ｒｅｓｅｒｖｅ」を送信する代わりに、ＤＴＸ（Discontinuous Transmission）を用いて無送信区間を設けても良い。ここで、すべての基地局装置＃１〜＃３から予約応答信号として予約確保信号「Ｒｅｓｅｒｖｅ」が送信される場合を図５（ａ）に示し、基地局装置＃３からは予約応答信号として予約拒否信号「Ｒｅｊｅｃｔ」が送信される場合を図５（ｂ）に示す。
【００８１】
次に、移動局装置が予約応答信号を受信した以後の動作を説明する。
【００８２】
基地局装置＃１〜＃３から送信された予約応答信号を含む信号は、移動局装置のＲＦ受信部２０２によって受信され、所定の無線受信処理が施される。受信信号は、逆拡散部２０４へ出力され、自装置に固有の拡散符号によって逆拡散され、自装置宛ての予約応答信号を含む信号が取得される。この信号は、復調部２０６によって復調され、誤り訂正復号部２０８によって誤り訂正復号される。誤り訂正復号部２０８による誤り訂正復号の結果、受信データが出力されるとともに、基地局装置ごとの予約応答信号が予約制御部２１６へ出力され、スケジューリング制御信号がレート制御部２１４へ出力され、ＵＬ−ＴＰＣが送信電力制御部２２６へ出力される。
【００８３】
また、逆拡散部２０４によって取得された信号からＳＩＲ測定部２１０によってＳＩＲが測定され、測定されたＳＩＲ情報に基づいてＤＬ−ＴＰＣ生成部２１２によってＤＬ−ＴＰＣが生成される。
【００８４】
そして、予約制御部２１６では、予約応答信号が予約応答信号判定部２１６３に入力され、入力された基地局装置ごとの予約応答信号が、それぞれ予約確保信号「Ｒｅｓｅｒｖｅ」であるかまたは予約拒否信号「Ｒｅｊｅｃｔ」であるかが判定される。この判定の結果、図５（ａ）に示した例では、すべての基地局装置＃１〜＃３の予約応答信号が予約確保信号「Ｒｅｓｅｒｖｅ」であり、図５（ｂ）に示した例では、基地局装置＃３のみの予約応答信号が予約拒否信号「Ｒｅｊｅｃｔ」であると判定される。
【００８５】
この判定の結果は、要求レート記憶部２１６４へ通知され、すべての予約応答信号が予約確保信号「Ｒｅｓｅｒｖｅ」である場合（図５（ａ）の場合）は、記憶されている要求レートがレート制御部２１４へ出力される。一方、１つでも予約応答信号として予約拒否信号「Ｒｅｊｅｃｔ」が含まれている場合（図５（ｂ）の場合）は、記憶されている要求レートが破棄される。
【００８６】
これにより、すべての予約応答信号が予約確保信号「Ｒｅｓｅｒｖｅ」である場合、換言すれば、すべての基地局装置＃１〜＃３で予約リソースを確保することができた場合は、要求レートでの送信が確定される。また、１つでも予約応答信号に予約拒否信号「Ｒｅｊｅｃｔ」が含まれている場合、換言すれば、いずれかの基地局装置で予約リソースを確保することができなかった場合は、要求レートでの送信が中止される。したがって、移動局装置が上限レートを超えた要求レートで送信する場合には、すべての基地局装置＃１〜＃３において無線リソースが確保されていることになり、受信電力がＲｏＴ閾値を超過することを防止することができる。
【００８７】
さらに、すべての予約応答信号が予約確保信号「Ｒｅｓｅｒｖｅ」である場合（図５（ａ）の場合）は、予約確認信号生成部２１６５によって予約確認信号として事前通告信号「Ｎｏｔｉｃｅ」が生成される。一方、予約応答信号として１つでも予約拒否信号「Ｒｅｊｅｃｔ」が含まれている場合（図５（ｂ）の場合）は、予約確認信号生成部２１６５によって予約確認信号として予約取消信号「Ｃａｎｃｅｌ」が生成される。生成された予約確認信号は、多重部２１６６へ出力され、予約要求信号生成部２１６２によって新たに予約要求信号「Ｒｅｑｕｅｓｔ」が生成されていれば、予約要求信号「Ｒｅｑｕｅｓｔ」と多重され、得られた予約制御信号は、誤り訂正符号化部２２０へ出力される。
【００８８】
そして、予約確認信号を含む予約制御信号は、誤り訂正符号化部２２０によって、送信データおよびＤＬ−ＴＰＣ生成部２１２によって生成されたＤＬ−ＴＰＣとともに誤り訂正符号化され、変調部２２２によって変調される。そして、変調部２２２の出力は、拡散部２２４によって、移動局装置に固有の拡散符号で拡散され、得られた送信信号の送信電力が、送信電力制御部２２６によってＵＬ−ＴＰＣから決定された送信電力となるように制御される。この予約確認信号を含んだ送信信号は、ＲＦ送信部２２８によって所定の無線送信処理が施された上で、基地局装置＃１〜＃３へ送信される。ここで、予約確認信号として事前通告信号「Ｎｏｔｉｃｅ」が送信される場合を図５（ａ）に示し、予約確認信号として予約取消信号「Ｃａｎｃｅｌ」が送信される場合を図５（ｂ）に示す。
【００８９】
このように、予約確認信号が送信されることにより、基地局装置においては、要求レートによる高速なデータ送信に備えるべきか否かを早い段階で確認することができ、例えば、予約取消信号「Ｃａｎｃｅｌ」が受信された場合には、予約要求信号「Ｒｅｑｕｅｓｔ」を送信している他の移動局装置に無線リソースを割り当てて、無線リソースを効率良く最大限に利用することができる。
【００９０】
他方、レート制御部２１４では、スケジューリング制御信号に応じて実際の送信に採用する送信レートを決定するが、要求レート記憶部２１６４から要求レートが出力された場合は、事前通告信号「Ｎｏｔｉｃｅ」の送信後に要求レートを送信レートとして決定する。スケジューリング制御信号に応じた送信レートは、上限レートを超えることはなく比較的低速の伝送レートだが、要求レート記憶部２１６４から出力された要求レートは、上限レートを超えており高速の伝送レートである。そして、決定された送信レートに対応する符号化率が誤り訂正符号化部２２０に設定されるとともに、送信レートに対応する変調方式が変調部２２２に設定される。さらに、送信レートに対応する送信電力が送信電力制御部２２６に設定される。
【００９１】
これにより、移動局装置は上限レートを超えた要求レートでデータ送信を開始することになり（図５（ａ）の場合）、送信バッファ部２１８に多くの送信データが記憶されている移動局装置や大きな遅延が許容されない送信データを有する移動局装置の伝送レートが高速なものとなる。
【００９２】
以下、図６のフロー図を参照しながら、移動局装置の動作をまとめる。
【００９３】
まず、送信バッファ部２１８における送信データの量が増加し、送信電力制御部２２６によって制御される送信電力が過小である場合に、要求レート決定部２１６１によって要求レートが決定され、予約要求信号「Ｒｅｑｕｅｓｔ」が基地局装置へ送信される（ＳＴ１０００）。
【００９４】
予約要求信号「Ｒｅｑｕｅｓｔ」を受信した基地局装置は、要求レートに応じた予約リソースを確保することができるか否かを判断し、予約リソースの確保が可能である場合は予約確保信号「Ｒｅｓｅｒｖｅ」を返信し、予約リソースの確保が不可能である場合は予約拒否信号「Ｒｅｊｅｃｔ」を返信する。これらの予約応答信号は、移動局装置が通信中である複数の基地局装置それぞれから返信される。
【００９５】
そして、それぞれの基地局装置から返信された予約応答信号が移動局装置によって受信され（ＳＴ１１００）、予約応答信号判定部２１６３によって、基地局装置ごとの予約応答信号の中に予約拒否信号「Ｒｅｊｅｃｔ」が含まれるか否かが判定される（ＳＴ１２００）。
【００９６】
予約応答信号がすべて予約確保信号「Ｒｅｓｅｒｖｅ」である場合は、移動局装置が通信中であるすべての基地局装置において要求レートに応じた予約リソースが確保されたものとして、要求レートによるデータ送信を開始する旨の事前通告信号「Ｎｏｔｉｃｅ」が予約確認信号生成部２１６５によって生成され、すべての基地局装置へ送信される（ＳＴ１３００）。すべての基地局装置は、事前通告信号「Ｎｏｔｉｃｅ」を受信した場合は、予約リソースが利用されることを前提として以降のスケジューリングを継続する。
【００９７】
他方、予約応答信号に１つでも予約拒否信号「Ｒｅｊｅｃｔ」が含まれていた場合は、移動局装置が通信中であるいずれかの基地局装置において要求レートに応じた予約リソースが確保できなかったものとして、要求レートによるデータ送信を中止する旨の予約取消信号「Ｃａｎｃｅｌ」が予約確認信号生成部２１６５によって生成され、すべての基地局装置へ送信される（ＳＴ１４００）。予約確保信号「Ｒｅｊｅｃｔ」を送信した基地局装置は、予約取消信号「Ｃａｎｃｅｌ」を受信した場合は、予約リソースは他の移動局装置へ割り当て可能であることを前提として以降のスケジューリングを継続する。
【００９８】
事前通告信号「Ｎｏｔｉｃｅ」の送信後は、移動局装置は、要求レートを実際の送信レートとして採用し、上限レートを超えた高速な伝送レートでデータ送信を行う（ＳＴ１５００）。また、予約取消信号「Ｃａｎｃｅｌ」の送信後は、移動局装置は、例えばランダムな時間が経過後に、前回よりも要求レートを低くして、再び予約要求信号「Ｒｅｑｕｅｓｔ」を送信する（ＳＴ１０００）。
【００９９】
以上のように、本実施の形態によれば、ソフトハンドオーバ中において、通常時は移動局装置が上限レート以下の伝送レートでデータ送信するが、移動局装置が上限レートを超える伝送レートでのデータ送信を希望する場合に予約要求信号を送信し、通信中のすべての基地局装置から予約応答信号として予約確保信号が返信された場合にのみ、高速な伝送レートでのデータ送信を行う。このため、移動局装置と通信中のすべての基地局装置においてあらかじめ無線リソースが確保できた場合にのみ、高速な伝送レートでのデータ送信が行われることになり、受信電力がＲｏＴ閾値を超過することを防止することができる。また、移動局装置の必要に応じて上限レートを超えた高速な伝送レートでのデータ送信が要求されるため、基地局装置が受信可能な受信電力を最大限に効率良く移動局装置に割り当ててＱｏＳを保証することができる。
【０１００】
（実施の形態２）
本発明の実施の形態２の特徴は、移動局装置が予約要求信号を送信する前の所定期間に上限レートでのデータ送信を行い、所定回数以上のＡＣＫが返信された場合にのみ予約要求信号を送信する点、および、基地局装置は予約要求信号に対して、無線リソースに余裕がある場合は、直ちに要求レートでのデータ送信を開始させるように予約受入信号を送信する点である。
【０１０１】
図７は、本実施の形態に係る基地局装置の要部構成を示すブロック図である。同図において、図１と同じ部分には同じ符号を付し、その説明を省略する。図７に示す基地局装置は、図１に示す基地局装置に受信確認応答生成部３０２を追加した構成となっている。
【０１０２】
受信確認応答生成部３０２は、誤り訂正復号部１０８における誤り訂正の結果、受信データに誤りが無ければ受信成功を示すＡＣＫを生成し、受信データに誤りがあれば受信失敗を示すＮＡＣＫを生成する。生成されたＡＣＫまたはＮＡＣＫは、送信データ、スケジューリング制御信号、予約応答信号、およびＵＬ−ＴＰＣとともに移動局装置へ送信される。ＡＣＫおよびＮＡＣＫは、主としてパケットの再送制御に利用される。
【０１０３】
また、本実施の形態におけるスケジューリング部１１４の内部構成は、図２と同様であるが、本実施の形態においては、予約応答信号生成部１１４４は、予約リソースを確保しても基地局装置の無線リソースにさらに余裕がある場合に、事前通告信号「Ｎｏｔｉｃｅ」の送信無しで要求レートによるデータ送信の開始を許可する予約受入信号「Ａｃｃｅｐｔ」を生成する。したがって、実施の形態１においては、移動局装置が通信中のすべての基地局装置から予約確保信号「Ｒｅｓｅｒｖｅ」が送信された場合、移動局装置は、事前通告信号「Ｎｏｔｉｃｅ」を送信した後に要求レートによるデータ送信を開始したが、本実施の形態においては、すべての基地局装置から予約受入信号「Ａｃｃｅｐｔ」が送信された場合、移動局装置は、直ちに要求レートによるデータ送信を開始する。
【０１０４】
本実施の形態に係る移動局装置は、図３に示す移動局装置と同様の構成を有するため、その説明を省略する。ただし、本実施の形態においては、予約制御部２１６の内部構成のみが実施の形態１とは異なっている。
【０１０５】
図８は、本実施の形態に係る予約制御部２１６の内部構成を示すブロック図である。同図において、図４と同じ部分には同じ符号を付し、その説明を省略する。図８に示す予約制御部２１６は、図４に示す予約制御部２１６にＡＣＫ計数部４００１およびスイッチ４００２を追加した構成となっている。
【０１０６】
ＡＣＫ計数部４００１は、レート制御部２１４から実際の送信に採用されている送信レート情報を受け取り、送信レートが上限レートとなっている期間に受信確認応答としてＡＣＫが受信された回数をカウントする。そして、ＡＣＫ計数部４００１は、ＡＣＫの数が所定数以上である場合にスイッチ４００２を接続させる。
【０１０７】
スイッチ４００２は、送信レートが上限レートになっている期間におけるＡＣＫの数が所定数以上である場合にのみ接続される。したがって、スイッチ４００２は、上限レートで送信されたデータに対するＡＣＫの数が所定数以上である場合にのみ、予約要求信号生成部２１６２によって生成された予約要求信号「Ｒｅｑｕｅｓｔ」を出力する。
【０１０８】
次いで、上記のように構成された基地局装置および移動局装置における上り回線の伝送レート制御時の動作について、図９を参照して具体的に説明する。なお、以下の説明では、移動局装置はソフトハンドオーバ中であり、基地局装置＃１〜＃３の３つの基地局装置と通信を行っているものとする。
【０１０９】
まず、移動局装置から基地局装置＃１〜＃３へ、上限レートを超えた伝送レートでの送信を要求する予約要求信号「Ｒｅｑｕｅｓｔ」が送信されるまでの動作を説明する。
【０１１０】
移動局装置は、通常時、基地局装置＃１〜＃３のいずれかのスケジューリング制御信号に従った伝送レートでデータを送信している。移動局装置が従うスケジューリング制御信号は、基地局装置＃１〜＃３のうち、例えばＳＩＲ測定部２１０によって測定されたＳＩＲが最も高い基地局装置から送信されたものなどで良い。ただし、このスケジューリング制御信号に従った伝送レートが上限レートを超えているような場合は、移動局装置は、上限レートを実際の送信レートとして送信を行う。実際の送信に用いられた送信レート情報は、レート制御部２１４から予約制御部２１６のＡＣＫ計数部４００１へ通知される。
【０１１１】
また、上述した送信レートで移動局装置から送信された信号に対して、基地局装置＃１〜＃３からは受信確認応答生成部３０２によって生成されたＡＣＫまたはＮＡＣＫが返信されており、これらの受信確認応答は、移動局装置の誤り訂正復号部２０８からＡＣＫ計数部４００１へ出力される。
【０１１２】
そして、ＡＣＫ計数部４００１によって、送信レートが上限レートである期間におけるＡＣＫの数が計数される。これにより、上限レートを超えた要求レートでのデータ送信が可能であるか否かが判断される。具体的には、送信レートが上限レートである期間における基地局装置ごとのＡＣＫの数が所定数以上であれば、上限レートで送信されたデータがすべての基地局装置＃１〜＃３で正しく受信されており、上限レートを超えた要求レートでのデータ送信も可能であると判断される。また、送信レートが上限レートである期間における基地局装置ごとのＡＣＫの数が所定数に満たなければ、上限レートで送信されたデータが正しく受信されない基地局装置が存在していることになり、上限レートを超えた要求レートでのデータ送信は不可能であると判断される。
【０１１３】
そこで、ＡＣＫ計数部４００１によって、スイッチ４００２が制御され、ＡＣＫ数が所定数以上の場合にのみスイッチ４００２が接続される。これにより、要求レートでのデータ送信が可能である場合にのみ、予約要求信号生成部２１６２によって生成される予約要求信号「Ｒｅｑｕｅｓｔ」が多重部２１６６へ出力されることになる。
【０１１４】
これにより、上限レートで送信されたデータが基地局装置に正しく受信されていないような場合は、移動局装置は、上限レートを超えた要求レートでのデータ送信を要求しなくなるため、拒否される可能性が高い予約要求信号の送信を抑止することができる。
【０１１５】
このような状況下で、例えば、送信バッファ部２１８に記憶されている送信データ量が多くなり、空き容量が小さくなると、その旨のバッファ情報が要求レート決定部２１６１へ出力される。そして、要求レート決定部２１６１によって、上限レートを超える伝送レートでの送信を基地局装置に対して要求することが決定されるとともに要求レートが決定される。決定された要求レートは、要求レート記憶部２１６４によって記憶され、同時に、予約要求信号生成部２１６２によって、予約要求信号「Ｒｅｑｕｅｓｔ」が生成される。生成された予約要求信号「Ｒｅｑｕｅｓｔ」は、スイッチ４００２が接続されている場合にのみ、多重部２１６６へ出力される。
【０１１６】
以下、実施の形態１と同様に、予約要求信号「Ｒｅｑｕｅｓｔ」を含んだ送信信号が、図９（ａ）〜（ｃ）に示すように、基地局装置＃１〜＃３へ送信される。
【０１１７】
なお、予約要求信号生成部２１６２によって予約要求信号「Ｒｅｑｕｅｓｔ」が生成されても、スイッチ４００２が接続されていない場合は、生成された予約要求信号「Ｒｅｑｕｅｓｔ」は破棄され、引き続き上限レート以下の伝送レートで通常状態のデータ送信が行われる。
【０１１８】
次に、基地局装置＃１〜＃３から移動局装置へ、予約要求信号「Ｒｅｑｕｅｓｔ」に対する予約応答信号が送信されるまでの動作を説明する。
【０１１９】
基地局装置＃１〜＃３においては、実施の形態１と同様に、ＲｏＴ情報、ＳＩＲ情報、および予約要求信号「Ｒｅｓｅｒｖｅ」がスケジューリング部１１４へ出力される。さらに、スケジューリング部１１４でも実施の形態１と同様に、予約リソースの算出およびスケジューリングが行われ、予約リソースを確保することが可能か否かが判断される。また、本実施の形態においては、予約リソースの確保が可能である場合、無線リソース割当部１１４３によって、予約リソースを確保しても無線リソースに余裕があるか否かが判断される。これらの判断結果は、予約応答信号生成部１１４４へ通知される。
【０１２０】
そして、予約応答信号生成部１１４４によって、予約応答信号が生成される。本実施の形態においては、予約リソースの確保が可能かつ無線リソースに余裕がある場合は、予約受入信号「Ａｃｃｅｐｔ」が生成され、予約リソースの確保が可能だが無線リソースに余裕がない場合は、予約確保信号「Ｒｅｓｅｒｖｅ」が生成され、予約リソースの確保が不可能である場合は、予約拒否信号「Ｒｅｊｅｃｔ」が生成される。以下、実施の形態１と同様に、予約応答信号を含んだ送信信号が移動局装置へ送信される。ここで、すべての基地局装置＃１〜＃３から予約応答信号として予約受入信号「Ａｃｃｅｐｔ」が送信される場合を図９（ａ）に示し、基地局装置＃１、＃３から予約確保信号「Ｒｅｓｅｒｖｅ」が送信され、基地局装置＃２から予約受入信号「Ａｃｃｅｐｔ」が送信される場合を図９（ｂ）に示し、基地局装置＃１から予約確保信号「Ｒｅｓｅｒｖｅ」が送信され、基地局装置＃２から予約受入信号「Ａｃｃｅｐｔ」が送信され、基地局装置＃３から予約拒否信号「Ｒｅｊｅｃｔ」が送信される場合を図９（ｃ）に示す。
【０１２１】
次に、移動局装置が予約応答信号を受信した以後の動作を説明する。
【０１２２】
移動局装置においては、実施の形態１と同様に、基地局装置ごとの予約応答信号が予約制御部２１６へ出力される。そして、予約制御部２１６では、予約応答信号が予約応答信号判定部２１６３に入力され、入力された基地局装置ごとの予約応答信号が、それぞれ予約受入信号「Ａｃｃｅｐｔ」であるか、予約確保信号「Ｒｅｓｅｒｖｅ」であるか、または予約拒否信号「Ｒｅｊｅｃｔ」であるかが判定される。この判定の結果、図９（ａ）に示した例では、すべての基地局装置＃１〜＃３の予約応答信号が予約受入信号「Ａｃｃｅｐｔ」であり、図９（ｂ）に示した例では、基地局装置＃１、＃３の予約応答信号が予約確保信号「Ｒｅｓｅｒｖｅ」かつ基地局装置＃２の予約応答信号が予約受入信号「Ａｃｃｅｐｔ」であり、図９（ｃ）に示した例では、基地局装置＃１の予約応答信号が予約確保信号「Ｒｅｓｅｒｖｅ」、基地局装置＃２の予約応答信号が予約受入信号「Ａｃｃｅｐｔ」、かつ基地局装置＃３の予約応答信号が予約拒否信号「Ｒｅｊｅｃｔ」であると判定される。
【０１２３】
この判定の結果は、要求レート記憶部２１６４へ通知され、予約拒否信号「Ｒｅｊｅｃｔ」が１つもない場合（図９（ａ）、（ｂ）の場合）は、記憶されている要求レートがレート制御部２１４へ出力される。一方、１つでも予約応答信号として予約拒否信号「Ｒｅｊｅｃｔ」が含まれている場合（図９（ｃ）の場合）は、記憶されている要求レートが破棄される。
【０１２４】
これにより、すべての予約応答信号が予約受入信号「Ａｃｃｅｐｔ」または予約確保信号「Ｒｅｓｅｒｖｅ」である場合、換言すれば、すべての基地局装置＃１〜＃３で予約リソースを確保することができた場合は、要求レートでの送信が確定される。また、１つでも予約応答信号に予約拒否信号「Ｒｅｊｅｃｔ」が含まれている場合、換言すれば、いずれかの基地局装置で予約リソースを確保することができなかった場合は、要求レートでの送信が中止される。したがって、移動局装置が上限レートを超えた要求レートで送信する場合には、すべての基地局装置＃１〜＃３において無線リソースが確保されていることになり、受信電力がＲｏＴ閾値を超過することを防止することができる。
【０１２５】
さらに、すべての予約応答信号が予約受入信号「Ａｃｃｅｐｔ」である場合（図９（ａ）の場合）は、事前通告信号「Ｎｏｔｉｃｅ」の送信が不要であるため、直ちにレート制御部２１４へ出力された要求レートが送信レートとなり、上限レートを超えた要求レートでのデータ送信が開始される。また、予約応答信号として予約拒否信号「Ｒｅｊｅｃｔ」は含まれていないものの１つでも予約確保信号「Ｒｅｓｅｒｖｅ」が含まれている場合（図９（ｂ）の場合）は、実施の形態１と同様に、事前通告信号「Ｎｏｔｉｃｅ」が基地局装置＃１〜＃３へ送信された後、上限レートを超えた要求レートでのデータ送信が開始される。さらに、予約応答信号として１つでも予約拒否信号「Ｒｅｊｅｃｔ」が含まれている場合（図９（ｃ）の場合）は、実施の形態１と同様に、予約取消信号「Ｃａｎｃｅｌ」が基地局装置＃１〜＃３へ送信されて要求レートでのデータ送信が中止される。
【０１２６】
このように、すべての基地局装置＃１〜＃３から予約応答信号として予約受入信号「Ａｃｃｅｐｔ」を受信した場合、すなわち、すべての基地局装置＃１〜＃３において予約リソースを確保してもさらに無線リソースの余裕がある場合は、直ちに要求レートでのデータ送信を開始するため、制御遅延を最小限にしてデータ送信の効率を向上することができる。
【０１２７】
以下、図１０のフロー図を参照しながら、移動局装置の動作をまとめる。なお、図１０において、図６と同じ部分には同じ符号を付し、その詳しい説明を省略する。
【０１２８】
まず、送信レートが上限レート以下である通常状態において、上限レートでデータ送信を行う（ＳＴ２０００）。
【０１２９】
上限レートで送信されたデータを受信した基地局装置は、受信データに誤りがあるか否かに応じてＡＣＫまたはＮＡＣＫを返信する。これらの受信確認応答は、移動局装置が通信中である複数の基地局装置それぞれから返信される。
【０１３０】
そして、ＡＣＫ計数部４００１によって、送信レートが上限レートとなっている期間中に返信されたＡＣＫが計数され、ＡＣＫ数が所定数以上であるか否かが判定される（ＳＴ２１００）。この判定の結果、ＡＣＫ数が所定数以上である場合にのみ、スイッチ４００２が接続され、実施の形態１と同様に予約要求信号「Ｒｅｑｕｅｓｔ」が基地局装置へ送信される（ＳＴ１０００）。一方、ＡＣＫ数が所定数に満たない場合は、移動局装置が上限レートを超える要求レートでのデータ送信を希望しても、予約要求信号「Ｒｅｑｕｅｓｔ」は送信されない。
【０１３１】
予約要求信号「Ｒｅｑｕｅｓｔ」が送信された場合は、実施の形態１と同様に、基地局装置から返信された予約応答信号が受信され（ＳＴ１１００）、予約応答信号中に予約拒否信号「Ｒｅｊｅｃｔ」が含まれるか否かが判定される（ＳＴ１２００）。
【０１３２】
予約拒否信号「Ｒｅｊｅｃｔ」が含まれない場合は、さらに、すべての予約応答信号が予約受入信号「Ａｃｃｅｐｔ」であるか否かが判定される（ＳＴ２２００）。この判定の結果、すべての予約応答信号が予約受入信号「Ａｃｃｅｐｔ」である場合は、直ちに要求レートでのデータ送信が開始される（ＳＴ１５００）。また、すべての予約応答信号が予約受入信号「Ａｃｃｅｐｔ」ではない場合は、事前通告信号「Ｎｏｔｉｃｅ」が送信された（ＳＴ１３００）後に要求レートでのデータ送信が開始される（ＳＴ１５００）。
【０１３３】
一方、予約応答信号に１つでも予約拒否信号「Ｒｅｊｅｃｔ」が含まれる場合は、予約取消信号「Ｃａｎｃｅｌ」が送信されて（ＳＴ１４００）、要求レートでのデータ送信が中止される。この場合、移動局装置は、上限レートでのデータ送信期間におけるＡＣＫ計数を継続して、スイッチ４００２の開閉を制御しつつ、例えばランダムな時間が経過後に、前回よりも要求レートを低くして、再び予約要求信号「Ｒｅｑｕｅｓｔ」を送信する（ＳＴ１０００）。
【０１３４】
以上のように、本実施の形態によれば、上限レートでのデータ送信期間中に基地局装置から返信されたＡＣＫ数が所定数以上である場合にのみ、上限レートを超える要求レートでのデータ送信を要求する予約要求信号を送信するため、拒否される可能性が高い予約要求信号の送信を抑止することができる。また、予約応答信号としてすべての基地局装置から予約受入信号を受信した場合は、直ちに要求レートでのデータ送信を開始するため、制御遅延を最小限にしてデータ送信の効率を向上することができる。
【０１３５】
（実施の形態３）
本発明の実施の形態３の特徴は、基地局装置が周期的に無線リソースの割り当て状況を示す負荷報知信号を送信し、移動局装置は、負荷報知信号に応じて要求レートによるデータ送信の予約を制御する点である。
【０１３６】
本実施の形態に係る基地局装置は、図１に示す基地局装置と同様の構成を有するため、その説明を省略する。ただし、本実施の形態においては、スケジューリング部１１４の内部構成のみが実施の形態１とは異なっている。
【０１３７】
図１１は、本実施の形態に係るスケジューリング部１１４の内部構成を示すブロック図である。同図において、図２と同じ部分には同じ符号を付し、その説明を省略する。図１１に示すスケジューリング部１１４は、図２に示すスケジューリング部１１４に負荷報知信号生成部５００１を追加した構成となっている。
【０１３８】
負荷報知信号生成部５００１は、無線リソース割当部１１４３におけるスケジューリングの結果から、基地局装置における負荷の状態を示す負荷報知信号「Ｃｅｌｌ  Ｌｏａｄ」を生成する。生成された負荷報知信号「Ｃｅｌｌ  Ｌｏａｄ」は、周期的に共通チャネルを用いて送信される。
【０１３９】
本実施の形態に係る移動局装置は、図３に示す移動局装置と同様の構成を有するため、その説明を省略する。ただし、本実施の形態においては、予約制御部２１６の内部構成のみが実施の形態１とは異なっている。
【０１４０】
図１２は、本実施の形態に係る予約制御部２１６の内部構成を示すブロック図である。同図において、図４と同じ部分には同じ符号を付し、その説明を省略する。図１２に示す予約制御部２１６は、図４に示す予約制御部２１６の要求レート決定部２１６１を要求レート決定部２１６１ａに変更した構成となっている。
【０１４１】
要求レート決定部２１６１ａは、周期的に基地局装置から受信される負荷報知信号「Ｃｅｌｌ  Ｌｏａｄ」を参照して、上限レートを超える伝送レートでのデータ送信開始が許容されるか否かを判定する。また、要求レート決定部２１６１ａは、上限レートを超える伝送レートでのデータ送信開始が許容されない場合、負荷報知信号「Ｃｅｌｌ  Ｌｏａｄ」およびバッファ情報に応じて要求レートを決定し、予約要求信号生成部２１６２および要求レート記憶部２１６４へ出力する。すなわち、要求レート決定部２１６１ａは、負荷報知信号「Ｃｅｌｌ  Ｌｏａｄ」によって通知される基地局装置の負荷が所定の第１閾値以下である場合は、即座に上限レートを超える伝送レートでのデータ送信が許容されると判断し、基地局装置の負荷が第１閾値を超えている場合は、実施の形態１と同様に、予約制御を行う。さらに、要求レート決定部２１６１ａは、基地局装置の負荷が第１閾値より大きい所定の第２閾値を超えている場合は、要求レートでのデータ送信を要求しても拒否される可能性が高いため、要求レートを決定せずに予約要求信号「Ｒｅｑｕｅｓｔ」を送信させない。
【０１４２】
これにより、基地局装置における負荷が非常に小さい場合は、移動局装置は、予約要求信号「Ｒｅｑｕｅｓｔ」の送信などの手順を踏まずに、即座に上限レートを超える伝送レートでのデータ送信を開始する。反対に、基地局装置における負荷が非常に大きい場合は、予約要求信号「Ｒｅｑｕｅｓｔ」を送信しても拒否される可能性が高いため、移動局装置は、予約要求信号「Ｒｅｑｕｅｓｔ」を送信しない。このため、制御遅延を最小限にしてデータ送信の効率を向上するとともに、拒否される可能性が高い予約要求信号の送信を抑止することができる。
【０１４３】
次いで、上記のように構成された基地局装置および移動局装置における上り回線の伝送レート制御時の動作について、図１３を参照して具体的に説明する。なお、以下の説明では、移動局装置はソフトハンドオーバ中であり、基地局装置＃１〜＃３の３つの基地局装置と通信を行っているものとする。
【０１４４】
まず、移動局装置から基地局装置＃１〜＃３へ、上限レートを超えた伝送レートでの送信を要求する予約要求信号「Ｒｅｑｕｅｓｔ」が送信されるまでの動作を説明する。
【０１４５】
移動局装置は、通常時、基地局装置＃１〜＃３のいずれかのスケジューリング制御信号に従った伝送レートでデータを送信している。移動局装置が従うスケジューリング制御信号は、基地局装置＃１〜＃３のうち、例えばＳＩＲ測定部２１０によって測定されたＳＩＲが最も高い基地局装置から送信されたものなどで良い。ただし、このスケジューリング制御信号に従った伝送レートが上限レートを超えているような場合は、移動局装置は、上限レートを実際の送信レートとして送信を行う。
【０１４６】
また、基地局装置＃１〜＃３からは、図１３（ａ）〜（ｃ）に示すように、周期的に負荷報知信号生成部５００１によって生成された負荷報知信号「Ｃｅｌｌ  Ｌｏａｄ」が送信されており、これらの負荷報知信号「Ｃｅｌｌ  Ｌｏａｄ」は、移動局装置の誤り訂正復号部２０８から要求レート決定部２１６１ａへ出力される。
【０１４７】
そして、要求レート決定部２１６１ａによって負荷報知信号「Ｃｅｌｌ  Ｌｏａｄ」が参照され、すべての基地局装置＃１〜＃３の負荷が所定の第１閾値以下であるか否かが判定される。すべての基地局装置＃１〜＃３の負荷が第１閾値以下である場合は、基地局装置＃１〜＃３の負荷が非常に小さいため、上限レートを超えた伝送レートでの即時送信が可能であると判断される（図１３（ａ）の場合）。上記以外の場合は、上限レートを超えた伝送レートでの即時送信は不可能であると判断される（図１３（ｂ）、（ｃ）の場合）。
【０１４８】
このように、負荷報知信号「Ｃｅｌｌ  Ｌｏａｄ」からすべての基地局装置＃１〜＃３における負荷が非常に小さいと判断された場合は、即座に上限レートを超えた伝送レートでのデータ送信を開始するため、要求レートを決定して要求レートでのデータ送信の予約を行う必要がなく、制御遅延を最小限にしてデータ送信の効率を向上することができる。
【０１４９】
即時送信が不可能である場合、基地局装置＃１〜＃３の１つでも負荷が第１閾値よりも大きい所定の第２閾値を超えていれば、負荷が第２閾値を超えている基地局装置においては負荷が非常に大きいため、上限レートを超えた伝送レートでの送信は拒否される可能性が高いと判断される。そして、この場合は、要求レートが決定されず、予約要求信号「Ｒｅｑｕｅｓｔ」は送信されない。これにより、拒否される可能性が高い予約要求信号「Ｒｅｑｕｅｓｔ」の送信を抑止することができる。
【０１５０】
また、基地局装置＃１〜＃３の負荷が第２閾値を超えていない場合は、実施の形態１と同様に、予約要求信号「Ｒｅｑｕｅｓｔ」が送信された上で予約の制御が行われる。この予約の制御は、実施の形態１と同様であるため、その説明を省略する。
【０１５１】
以下、図１４のフロー図を参照しながら、移動局装置の動作をまとめる。なお、図１４において、図６と同じ部分には同じ符号を付し、その詳しい説明を省略する。
【０１５２】
まず、基地局装置から周期的に送信されている負荷報知信号「Ｃｅｌｌ  Ｌｏａｄ」が受信される（ＳＴ３０００）。
【０１５３】
そして、要求レート決定部２１６１ａによって、基地局装置の負荷が所定の第１閾値より大きい所定の第２閾値を超えているか否かが判定される（ＳＴ３１００）。いずれかの基地局装置における負荷が第２閾値を超えている場合、この基地局装置における負荷が非常に大きく、上限レートでの送信は拒否される可能性が高いため、処理を終了する。
【０１５４】
また、移動局装置が通信中のすべての基地局装置の負荷が第２閾値以下である場合は、さらに、基地局装置の負荷が第１閾値と比較され、すべての基地局装置における負荷が非常に小さく、即時送信が可能であるか否かが判定される（ＳＴ３２００）。即時送信が可能である場合は、即座に上限レートを超える伝送レートでのデータ送信を開始する（ＳＴ１５００）。一方、即時送信が不可能である場合は、実施の形態１と同様の予約制御を行って、要求レートでのデータ送信を行うか（ＳＴ１５００）、予約を取り消す（ＳＴ１４００）。
【０１５５】
以上のように、本実施の形態によれば、基地局装置から無線リソースの割り当て状況を示す負荷報知信号が周期的に送信されるため、移動局装置は、即座に上限レートを超える伝送レートでのデータ送信を開始したり、拒否される可能性が高い予約要求信号の送信を抑止したりすることができる。
【０１５６】
本発明の第１の態様に係る移動局装置は、複数の基地局装置と通信を行うソフトハンドオーバ中に、上り回線のデータ送信に用いられる送信レートを所定の上限レート以下に制限するレート制御手段と、前記上限レートを超える伝送レートでのデータ送信を行う場合に、前記伝送レートによるデータ送信を前記複数の基地局装置に対して予約する予約制御手段と、を有し、前記レート制御手段は、前記伝送レートによるデータ送信が前記複数の基地局装置すべてに予約された場合に、上り回線の送信レートを前記伝送レートに変更する構成を採る。
【０１５７】
この構成によれば、ソフトハンドオーバ中、移動局装置が上限レートを超える伝送レートでのデータ送信を予約し、通信相手であるすべての基地局装置に予約された場合に、上限レートを超えた伝送レートでデータ送信するため、上限レートを超えた伝送レートでの送信時には、基地局装置において必要な無線リソースが確保されており、受信電力がＲｏＴ閾値を超過することを防止することができる。また、移動局装置は、通常は上限レート以下の伝送レートでデータ送信を行い、必要に応じて上限レートを超えた伝送レートでのデータ送信を予約するため、基地局装置が受信可能な受信電力を最大限に効率良く移動局装置に割り当ててＱｏＳを保証することができる。
【０１５８】
本発明の第２の態様に係る移動局装置は、上記第１の態様において、前記予約制御手段は、前記上限レートを超える所望の要求レートでのデータ送信を要求する旨の予約要求信号を生成する予約要求信号生成部、を有し、前記上限レートを超える伝送レートでのデータ送信を行う場合に、前記予約要求信号を前記複数の基地局装置に対して送信する構成を採る。
【０１５９】
この構成によれば、要求レートでのデータ送信を要求する予約要求信号を複数の基地局装置に対して送信するため、移動局装置が上限レートを超える伝送レートでのデータ送信を希望していることが確実に通信相手であるすべての基地局装置へ伝えられる。
【０１６０】
本発明の第３の態様に係る移動局装置は、上記第２の態様において、前記レート制御手段は、前記予約要求信号に対する前記複数の基地局装置の応答として、すべての基地局装置から前記要求レートでのデータ送信を許可する旨の予約確保信号を受信した場合に、上り回線の送信レートを前記要求レートに変更する構成を採る。
【０１６１】
この構成によれば、通信相手であるすべての基地局装置から要求レートでのデータ送信が許可された場合に、要求レートでのデータ送信を開始するため、上限レートを超える要求レートでデータ送信をしても、すべての基地局装置において受信電力がＲｏＴ閾値を超えることがない。
【０１６２】
本発明の第４の態様に係る移動局装置は、上記第３の態様において、前記予約制御手段は、すべての基地局装置から前記予約確保信号を受信した場合に、前記要求レートによるデータ送信を開始する旨の事前通告信号を生成する予約確認信号生成部、をさらに有し、前記レート制御手段は、前記事前通告信号が前記複数の基地局装置すべてに送信された後に上り回線の送信レートを前記要求レートに変更する構成を採る。
【０１６３】
この構成によれば、要求レートによるデータ送信を開始する旨を基地局装置へ通知してから要求レートでのデータ送信を開始するため、基地局装置は要求レートでのデータ送信が行われることを前提としてスケジューリングを行うことができ、要求レートでのデータ送信中に基地局装置の受信電力がＲｏＴ閾値を超えることがない。
【０１６４】
本発明の第５の態様に係る移動局装置は、上記第２の態様において、前記レート制御手段は、前記予約要求信号に対する前記複数の基地局装置の応答として、少なくとも１つの基地局装置から前記要求レートでのデータ送信を拒否する旨の予約拒否信号を受信した場合に、上り回線の送信レートを前記要求レートに変更しない構成を採る。
【０１６５】
この構成によれば、通信相手であるすべての基地局装置から要求レートでのデータ送信が許可されない場合は、要求レートでのデータ送信を中止するため、受信電力がＲｏＴ閾値を超えてしまう基地局装置があるような場合は、要求レートでのデータ送信が行われないことになり、受信電力がＲｏＴ閾値を超過することを確実に防止することができる。
【０１６６】
本発明の第６の態様に係る移動局装置は、上記第５の態様において、前記予約制御手段は、少なくとも１つの基地局装置から前記予約拒否信号を受信した場合に、前記要求レートによるデータ送信を中止する旨の予約取消信号を生成する予約確認信号生成部、をさらに有する構成を採る。
【０１６７】
この構成によれば、要求レートによるデータ送信を中止する旨を基地局装置へ通知するため、要求レートによるデータ送信のために確保されていた基地局装置の受信電力を他の移動局装置に割り当てることができ、基地局装置の無線リソースを無駄なく使用することができる。
【０１６８】
本発明の第７の態様に係る移動局装置は、上記第５の態様において、前記予約制御手段は、前記予約拒否信号の受信後ランダムな時間が経過した時に、前記要求レートよりも低い要求レートでのデータ送信を要求する予約要求信号を前記複数の基地局装置に対して再度送信する構成を採る。
【０１６９】
この構成によれば、要求レートでのデータ送信が拒否された場合に、ランダムな時間が経過後、要求レートを低くして再度要求レートでのデータ送信を要求するため、上限レートを超える伝送レートでのデータ送信ができる可能性が高くなり、上り回線のデータ送信の遅延をより確実に防止することができる。
【０１７０】
本発明の第８の態様に係る移動局装置は、上記第２の態様において、前記予約制御手段は、上り回線の送信レートが前記上限レートに設定されている期間に前記複数の基地局装置から返信される受信成功の旨のＡＣＫを計数するＡＣＫ計数部、をさらに有し、ＡＣＫの数が所定数以上である場合にのみ前記予約要求信号を送信する構成を採る。
【０１７１】
この構成によれば、上限レートでのデータ送信期間に返信されたＡＣＫの数が多い場合にのみ予約を行うため、上限レートを超える伝送レートでのデータ送信が許可される可能性が低い時に予約が発生せず、無駄な予約要求信号による伝送効率の低下を防止することができる。
【０１７２】
本発明の第９の態様に係る移動局装置は、上記第１の態様において、前記予約制御手段は、前記複数の基地局装置における負荷を報知するために前記複数の基地局装置から周期的に送信される負荷報知信号に基づいて、前記伝送レートによる即時のデータ送信が可能であるか否かを判断する構成を採る。
【０１７３】
本発明の第１０の態様に係る移動局装置は、上記第２の態様において、前記予約制御手段は、前記複数の基地局装置における負荷を報知するために前記複数の基地局装置から周期的に送信される負荷報知信号に基づいて、すべての基地局装置における負荷が所定の第１の閾値以下である場合に前記予約要求信号を送信せず、前記レート制御手段は、すべての基地局装置における負荷が所定の第１の閾値以下である場合に、前記負荷報知信号の受信直後から上り回線の送信レートを前記要求レートに変更する構成を採る。
【０１７４】
これらの構成によれば、基地局装置における負荷が非常に小さい場合には上限レートを超えた伝送レートによる即時のデータ送信が可能であると判断するため、予約要求信号などの送信をせずに即座に上限レートを超える伝送レートでのデータ送信を開始することができ、制御遅延を最小限にすることができる。
【０１７５】
本発明の第１１の態様に係る移動局装置は、上記第１０の態様において、前記予約制御手段は、前記負荷報知信号に基づいて、１つの基地局装置における負荷が前記第１の閾値より大きい所定の第２の閾値以上である場合に前記予約要求信号を送信しない構成を採る。
【０１７６】
この構成によれば、基地局装置における負荷が大きい場合には予約要求信号を送信しないため、上限レートを超える伝送レートでのデータ送信が許可される可能性が低い時に予約が発生せず、無駄な予約要求信号による伝送効率の低下を防止することができる。
【０１７７】
本発明の第１２の態様に係る移動局装置は、上記第２の態様において、前記予約要求信号生成部は、前記要求レート、前記要求レートでのデータ送信時間、前記要求レートに対応する送信電力、または前記要求レートで達成されるＱｏＳのいずれか１つに関する情報を含む予約要求信号を生成する構成を採る。
【０１７８】
この構成によれば、予約要求信号に要求レート、要求レートでのデータ送信時間、要求レートに対応する送信電力、または要求レートで達成されるＱｏＳのいずれかの情報が含まれているため、基地局装置は予約要求信号に基づいてより精密なスケジューリングを行うことができる。
【０１７９】
本発明の第１３の態様に係る移動局装置は、上記第１の態様において、送信前の送信データを一時的に記憶するバッファ手段、をさらに有し、前記予約制御手段は、前記バッファ手段に記憶された送信データが所定レベルより多くなった場合に、予約を行う構成を採る。
【０１８０】
この構成によれば、送信すべきデータが多くなった場合に上限レートを超えた伝送レートでのデータ送信を予約するため、バッファが溢れてしまうことを防止し、送信データの欠落を防止してＱｏＳを保証することができる。
【０１８１】
本発明の第１４の態様に係る移動局装置は、上記第１の態様において、送信電力を制御する送信電力制御手段、をさらに有し、前記予約制御手段は、前記送信電力制御手段によって制御される送信電力が過小である場合に、予約を行う構成を採る。
【０１８２】
この構成によれば、送信電力が過小である場合に上限レートを超えた伝送レートでのデータ送信を予約するため、基地局装置において受信電力がＲｏＴ閾値を超過することを防止しつつ移動局装置の送信性能を無駄なく発揮することができる。
【０１８３】
本発明の第１５の態様に係る基地局装置は、所定の上限レートを超える要求レートでのデータ送信を要求する旨の予約要求信号を移動局装置から受信する受信手段と、前記移動局装置を含む複数の移動局装置に対する無線リソースの割り当て状況から、前記要求レートでの送信を許可するか否かを決定するスケジューリング手段と、前記要求レートでの送信許可を示す予約確保信号または前記要求レートでの送信拒否を示す予約拒否信号を送信する送信手段と、を有する構成を採る。
【０１８４】
この構成によれば、無線リソースの割り当て状況から、上限レートを超える要求レートでのデータ送信を許可するか否かを決定するため、基地局装置における受信電力がＲｏＴ閾値を超えてしまうか否かを正確に判断することができる。また、送信許可または送信拒否を移動局装置へ通知するため、移動局装置は、許可される場合にのみ上限レートを超える要求レートでのデータ送信を行うことができる。
【０１８５】
本発明の第１６の態様に係る基地局装置は、上記第１５の態様において、前記スケジューリング手段は、前記要求レートによるデータ送信を開始する旨の事前通告信号を前記移動局装置から受信した場合は、前記移動局装置が前記要求レートでのデータ送信を行うことを前提として前記複数の移動局装置に無線リソースを割り当てる構成を採る。
【０１８６】
この構成によれば、要求レートでのデータ送信が行われることを前提としてスケジューリングを行うため、移動局装置が要求レートでのデータ送信を行っても基地局装置の受信電力がＲｏＴ閾値を超えることがない。
【０１８７】
本発明の第１７の態様に係る基地局装置は、上記第１５の態様において、前記スケジューリング手段は、前記要求レートによるデータ送信を中止する旨の予約取消信号を前記移動局装置から受信した場合は、前記移動局装置が前記上限レート以下の伝送レートでのデータ送信を行うことを前提として前記複数の移動局装置に無線リソースを割り当てる構成を採る。
【０１８８】
この構成によれば、要求レートによるデータ送信が行われないことを前提としてスケジューリングを行うため、要求レートによるデータ送信のために確保されていた基地局装置の受信電力を他の移動局装置に割り当てることができ、基地局装置の無線リソースを無駄なく使用することができる。
【０１８９】
本発明の第１８の態様に係る基地局装置は、上記第１５の態様において、前記スケジューリング手段は、前記複数の移動局装置に対する無線リソースの割り当て状況から、自装置における受信の負荷を示す負荷報知信号を生成する負荷報知信号生成部、を有し、前記送信手段は、前記負荷報知信号を周期的に送信する構成を採る。
【０１９０】
この構成によれば、受信の負荷を周期的に移動局装置へ報知するため、移動局装置は、基地局装置における負荷が非常に小さい場合には上限レートを超えた伝送レートによる即時のデータ送信が可能であると判断でき、制御遅延を最小限にすることができる。
【０１９１】
本発明の第１９の態様に係る上り回線伝送レート制御方法は、複数の基地局装置と通信を行うソフトハンドオーバ中の移動局装置において用いられる上り回線伝送レート制御方法であって、上り回線のデータ送信に用いられる送信レートを所定の上限レート以下に制限するステップと、前記上限レートを超える伝送レートでのデータ送信を行う場合に、前記伝送レートによるデータ送信を前記複数の基地局装置に対して予約するステップと、前記伝送レートによるデータ送信が前記複数の基地局装置すべてに予約された場合に、上り回線の送信レートを前記伝送レートに変更するステップと、を有するようにした。
【０１９２】
この方法によれば、ソフトハンドオーバ中、移動局装置が上限レートを超える伝送レートでのデータ送信を予約し、通信相手であるすべての基地局装置に予約された場合に、上限レートを超えた伝送レートでデータ送信するため、上限レートを超えた伝送レートでの送信時には、基地局装置において必要な無線リソースが確保されており、干渉の増大を防止することができる。また、移動局装置は、通常は上限レート以下の伝送レートでデータ送信を行い、必要に応じて上限レートを超えた伝送レートでのデータ送信を予約するため、基地局装置が受信可能な受信電力を最大限に効率良く移動局装置に割り当ててＱｏＳを保証することができる。
【産業上の利用可能性】
【０１９３】
本発明に係る移動局装置、基地局装置、および上り回線伝送レート制御方法は、干渉の増大を防止しつつ、基地局装置が受信可能な受信電力を最大限に効率良く移動局装置に割り当ててＱｏＳを保証することができ、移動局装置の伝送レートが基地局装置によってスケジューリングされる移動体通信システムで用いられる移動局装置、基地局装置、および上り回線伝送レート制御方法などに適用することができる。
【図面の簡単な説明】
【０１９４】
【図１】本発明の実施の形態１に係る基地局装置の要部構成を示すブロック図
【図２】実施の形態１に係るスケジューリング部の内部構成を示すブロック図
【図３】実施の形態１に係る移動局装置の要部構成を示すブロック図
【図４】実施の形態１に係る予約制御部の内部構成を示すブロック図
【図５】（ａ）実施の形態１に係る予約制御の一例を示すシーケンス図（ｂ）実施の形態１に係る予約制御の他の一例を示すシーケンス図
【図６】実施の形態１に係る移動局装置の動作を示すフロー図
【図７】本発明の実施の形態２に係る基地局装置の要部構成を示すブロック図
【図８】実施の形態２に係る予約制御部の内部構成を示すブロック図
【図９】（ａ）実施の形態２に係る予約制御の一例を示すシーケンス図（ｂ）実施の形態２に係る予約制御の他の一例を示すシーケンス図（ｃ）実施の形態２に係る予約制御のさらに他の一例を示すシーケンス図
【図１０】実施の形態２に係る移動局装置の動作を示すフロー図
【図１１】本発明の実施の形態３に係るスケジューリング部の内部構成を示すブロック図
【図１２】実施の形態３に係る予約制御部の内部構成を示すブロック図
【図１３】（ａ）実施の形態３に係る予約制御の一例を示すシーケンス図（ｂ）実施の形態３に係る予約制御の他の一例を示すシーケンス図（ｃ）実施の形態３に係る予約制御のさらに他の一例を示すシーケンス図
【図１４】実施の形態３に係る移動局装置の動作を示すフロー図
【図１５】基地局装置における受信電力の内訳の一例を示す図
【図１６】移動体通信システムの一例を示す図
【符号の説明】
【０１９５】
１０２、２０２  ＲＦ受信部
１１０、２１０  ＳＩＲ測定部
１１４  スケジューリング部
１１４１  予約制御信号選別部
１１４２  予約リソース設定部
１１４３  無線リソース割当部
１１４４  予約応答信号生成部
１１４５  多重部
１２４、２２８  ＲＦ送信部
２１４  レート制御部
２１６  予約制御部
２１６１、２１６１ａ  要求レート決定部
２１６２  予約要求信号生成部
２１６３  予約応答信号判定部
２１６４  要求レート記憶部
２１６５  予約確認信号生成部
２１６６  多重部
２１８  送信バッファ部
３０２  受信確認応答生成部
４００１  ＡＣＫ計数部
４００２  スイッチ
５００１  負荷報知信号生成部
【図１】
2006080915.tif 000003
【図２】
2006080915.tif 000004
【図３】
2006080915.tif 000005
【図４】
2006080915.tif 000006
【図５】
2006080915.tif 000007
【図６】
2006080915.tif 000008
【図７】
2006080915.tif 000009
【図８】
2006080915.tif 000010
【図９】
2006080915.tif 000011
【図１０】
2006080915.tif 000012
【図１１】
2006080915.tif 000013
【図１２】
2006080915.tif 000014
【図１３】
2006080915.tif 000015
【図１４】
2006080915.tif 000016
【図１５】
2006080915.tif 000017
【図１６】
2006080915.tif 000018